(57)【特許請求の範囲】
【請求項１】
パイル糸と基布からなる表皮層と、前記表皮層の下側に積層したバッキング層と、前記バッキング層の下側に積層したセカンド基布とを含むカーペットであって、
前記表皮層の前記基布の上側に熱反射層が接着または蒸着され、前記基布のパイル側表面が前記熱反射層となるように前記基布に前記パイル糸を植設し、
前記セカンド基布の下側に熱反射層が接着または蒸着され、
前記パイル糸に遠赤外線放射材料をバインダー樹脂を用いて固着し、前記バッキング層に遠赤外線放射材料を含有したことを特徴とする保温カ−ペット。
【請求項２】
前記バッキング層は、樹脂組成物やゴム組成物であることを特徴とする請求項１に記載の保温カ−ペット。
【請求項３】
前記熱反射層は、アルミニウム箔であることを特徴とする請求項１に記載の保温カ−ペット。
【請求項４】
前記遠赤外線放射材料は、酸化アルミニウム、酸化チタン、酸化ジルコニウム、珪酸ジルコニウムから選択される一種または複数であって、５．０〜５０．０ｇ／ｍ2カ−ペットに含まれ、粒径が１〜５０μｍであることに特徴のある請求項１に記載の保温カ−ペット。
【発明の詳細な説明】
【技術分野】
【０００１】
本発明は、温かみのあるカーペットに関するものであり、人がカーペット上に座ったり、横になったりしたときの人体から放出される熱が、カーペットを通して床に逃げていくのを防ぎ、暖かさを保持する省エネ保温カーペットに関するものである。
【背景技術】
【０００２】
日本の住宅において、カーペットは１年を通じて多く使われるようになり、カーペットの上に座ったり、横になったりして寛ぐ家庭は多い。カーペットは、冬季には暖かさを求められ、夏季においては涼しく爽やかな感覚の得られるようなものが好まれる。この相反する性質を兼ね備えたカーペットは未だ存在していないが、冬季と夏季で、それぞれ異なる性質のカーペットを敷きかえるようにしているのが一般的である。夏季においては、夏用のカーペットとして、汗等の吸水性のよい綿カーペットや、イグサや籐の敷物を敷いて夏のムシ暑さを凌ぐようにしていることが多い。また、冬季においては、カーペットの下側に電熱ヒーター等を敷いて、暖房器具の表皮用のカーペットとしても多く使われている。
【０００３】
本発明の、温かみのあるカーペットは、主に夏季以外の季節において敷かれるもので、人体の熱が、カーペットを通して床に逃げるのを極力少なくして暖かさを保ち、暖房にかかる費用をできるだけ少なくしようとするものである。
【０００４】
カーペットは、もともと含気率が高く、優れた断熱性、保温性を示す繊維の集合体であって、床に敷くだけで室温が上昇し温かみを感じるものであるが、本発明では、さらにこの断熱性、保温性の向上をはかり、電熱ヒーター等のエネルギーを使わなくとも十分に暖かなカーペットを提供するものである。
【０００５】
特許文献１においては、遠赤外線を有効利用することによって、断熱効果及び保温効果を高めるシートとして、遠赤外線を放射する物質を混入した発泡体と、不織布と、熱反射する機能を持たせたフィルムを積層した融雪用に適した積層シートが提案されている。
【０００６】
また、特許文献２においては、電気カーペットの表面の温度分布を均一にするために、熱伝導材としてアルミニウムのシートをヒーターと一体化した電気カーペットが提案されている。
【０００７】
しかしながら、これらの技術は、熱反射する機能や熱伝導の機能をもつアルミニウムシートを使った融雪用や電気カーペット用の技術であるが、繊維の集合体であるカーペット自体に、さらに断熱性、保温性の向上をはかり、人体の熱のみで十分に暖かなカーペットを得られるような技術は未だ提案されてはいない。
【特許文献１】特開２００２−２７３８３３
【特許文献２】特開平１１−１２６６７６
【発明の開示】
【発明が解決しようとする課題】
【０００８】
本発明は、かかる技術的背景に鑑みてなされたものであって、断熱性と保温性の向上をはかり、電熱ヒーター等のエネルギーを使わなくとも十分に暖かな省エネ保温カーペットを提供するものである。
【課題を解決するための手段】
【０００９】
本発明者らは、このような課題を解決するために鋭意検討の結果、アルミニウム蒸着させた基布にパイル糸を植設することにより、人がカーペットの上に座ったり、横になったりしたときの人体から放出される熱をカーペットの中に取り込み、極力カーペットから逃げないようにすることによって本発明に到達した。前記課題を達成するために、本発明は以下の手段を提供する。
【００１０】
［１］パイル糸と基布からなる表皮層と、前記表皮層の下側に積層したバッキング層と、前記バッキング層の下側に積層したセカンド基布とを含むカーペットであって、前記表皮層の前記基布の上側に熱反射層が接着または蒸着され、前記基布のパイル側表面が前記熱反射層となるように前記基布に前記パイル糸を植設し、前記セカンド基布の下側に熱反射層が接着または蒸着され、前記パイル糸に遠赤外線放射材料をバインダー樹脂を用いて固着し、前記バッキング層に遠赤外線放射材料を含有したことを特徴とする保温カ−ペット。
【００１１】
［２］前記バッキング層は、樹脂組成物やゴム組成物であることを特徴とする前項１に記載の保温カ−ペット。
【００１２】
［３］前記熱反射層は、アルミニウム箔であることを特徴とする前項１に記載の保温カ−ペット。
【００１５】
［４］前記遠赤外線放射材料は、酸化アルミニウム、酸化チタン、酸化ジルコニウム、珪酸ジルコニウムから選択される一種または複数であって、５．０〜５０．０ｇ／ｍ2カ−ペットに含まれ、粒径が１〜５０μｍであることに特徴のある前項１に記載の保温カ−ペット。
【発明の効果】
【００１６】
［１］の発明では、パイル糸と基布からなる表皮層と、バッキング層とを含むカ−ペットであって、熱反射層が接着または蒸着された基布にパイル糸を植設しているので、カーペットの上方から入った人体からの熱の多くは、床方向に逃げることなく熱反射層によって反射され、パイル部分に貯えられる。
【００１７】
［１］の発明では、前記保温カ−ペットにおいて、パイル糸を植設した基布のパイル側表面が熱反射層となるようにパイル糸を植設しているので、人体からの熱は、基布内部に入る前に熱反射層によって反射されることとなり、パイル部分により確実に貯えられる。
【００１８】
［１］の発明では、熱反射層が接着または蒸着されたセカンド基布をバッキング層の下側に積層したので、カーペットの上方から入って、基布の熱反射層で反射されなかった熱がセカンド基布の熱反射層で反射されて、床方向に逃げることなく、セカンド基布、バッキング層の中に貯えられる。
【００１９】
［１］の発明では、パイル糸に遠赤外線放射材料を固着せしめているので、人体の熱によって遠赤外線効果が発現し、熱反射層が接着または蒸着された基布に反射して、パイル部分に暖かさが貯えられる。
【００２０】
［１］の発明では、バッキング層に遠赤外線放射材料を含有せしめているので、人体の熱によって遠赤外線効果を発現した熱は、熱反射層が接着または蒸着された基布やセカンド基布に反射されて、バッキング層の中に暖かさが貯えられる。
【００２１】
［４］の発明では、遠赤外線放射材料は、酸化アルミニウム、酸化チタン、酸化ジルコニウム、珪酸ジルコニウムから選択される一種または複数であって、５．０〜５０．０ｇ／ｍ2カ−ペットに固着しているので、人がカ−ペットに接ししばらくしたときに、ほんのりとした暖かさを持った、クリーンで安全な保温カーペットとすることができる。
【発明を実施するための最良の形態】
【００２２】
次に、この発明に係る保温カーペットの一実施形態を図面に基づいて説明する。この実施形態の保温カーペット１は、パイル糸２と基布３からなる表皮層２−３とバッキング層４とを含むカ−ペットであって、基布表面にアルミニウム蒸着して熱反射層３−ａを形成した基布３に、パイル糸２を植え、バッキング層４で基布３とパイル糸２を固定し、さらにバッキング層４の下側に、バッキング層４の保護やクッション性を付与するために不織布からなるセカンド基布５を積層している。（図１参照）
【００２３】
熱反射層３−ａを形成する基布３としては、特に限定されるものではなく、ポリエステル繊維やポリプロピレン繊維、麻、綿等の天然繊維からなる織、編基布、不織布等通常使用される基布でよい。
【００２４】
熱反射層３−ａとしては、アルミニウムが好適で、例えばポリプロピレン製の織基布にアルミニウム箔を接着したものを挙げられる。アルミニウム箔を接着または蒸着する方法については、常法にしたがって行うことができる。該基布にパイル糸を植設するのは、タフティング機を用いて通常の方法で植設すればよい。このとき、アルミニウム箔を接着または蒸着した基布の面を下側に配置し、上側からパイル糸を植設してカーペットとするのが好ましい。こうすることによって、カーペットとなった状態で、アルミニウム箔を接着または蒸着した面が基布の最上部となり（図１参照）、人がカーペット上に座ったり横になったりしたときに、人体からの熱は、基布内部に入る前に熱反射層によって反射され、パイル部分に貯えられる。
【００２５】
また、バッキング層４の下側にクッション性能とバッキング層の保護性能を付与すべく、不織布からなるセカンド基布５を積層することが多い。本発明においては、セカンド基布５として熱反射層５−ａが接着または蒸着されたものを用い、バッキング層に積層するのがさらに好ましい。セカンド基布としては特に限定しないが、例えば、ポリエステル繊維製ニードルパンチ不織布等にアルミニウム箔を接着または蒸着したものを挙げられる。熱反射層が接着または蒸着されたセカンド基布をバッキング層の下側に積層することによって、カーペットの上方から入って、基布にある熱反射層で反射しきれなかった熱がセカンド基布の熱反射層に反射して、床方向に逃げることなく、セカンド基布、バッキング層の中に貯えられる。（図２参照）
【００２６】
本発明では、パイル糸に遠赤外線放射材料を固着せしめることが、さらに好ましい。遠赤外線放射材料は、人体の熱によって遠赤外線効果を発現し、新たに発現した熱線が人体やパイル糸に作用して暖かなパイル糸部と感じられるものと考えられる。遠赤外線放射材料としては、酸化アルミニウム、酸化チタン、酸化ジルコニウム、珪酸ジルコニウム、酸化ケイ素、酸化マグネシウム等を挙げることができ、酸化アルミニウム、酸化チタン、酸化ジルコニウム、珪酸ジルコニウムから選択される一種または複数がより好ましい。  
【００２７】
遠赤外線放射材料を、パイル糸に固着せしめるには、バインダー樹脂を用いる。バインダー樹脂としては、パイル糸に遠赤外線放射材料を強固に固着することができればよいが、一般的には、例えばウレタン樹脂、自己架橋型アクリル樹脂、メタアクリル樹脂、シリコン樹脂、グリオキザール樹脂、ポリエステル樹脂、酢酸ビニル樹脂、塩化ビニリデン樹脂、ブタジエン樹脂、メラミン樹脂、エポキシ樹脂、アクリル−シリコン共重合体樹脂、スチレン−ブタジエン共重合体樹脂（ＳＢＲ）、エチレン−酢酸ビニル共重合体樹脂（ＥＶＡ）、イソブチレン無水マレイン酸共重合体樹脂、エチレン−スチレン−アクリレート−メタアクリレート共重合体樹脂等を挙げることができる。
【００２８】
また、遠赤外線放射材料は、バッキング層４の中に含有せしめてもよい。バッキング層としては、パイル糸と基布とを固定できる樹脂組成物やゴム組成物であれば特に限定されず、例えば樹脂組成物の樹脂成分としてはアクリル系、ウレタン系、ポリ塩化ビニル、ポリエチレン、ポリプロピレン、エチレン−酢酸ビニル共重合体（ＥＶＡ）等の樹脂が挙げられる。ゴム組成物のゴム成分としてはＳＢＲ（スチレン−ブタジエン）、ＮＢＲ（アクリロニトリル−ブタジエンゴム）ＭＢＲ（メチルメタクリレート−ブタジエンゴム）あるいは天然ゴム等が挙げられる。また、充填剤として炭酸カルシウム、水酸化アルミニウム、水酸化マグネシウム、フライアッシュ等を添加してバッキング層として使用するのが一般的で、これら充填剤と同様に遠赤外線放射材料を添加すればよい。
【００２９】
遠赤外線放射材料は、５．０〜５０．０ｇ／ｍ２バインダー樹脂によってカーペットの基布から上のパイル糸に固着されるか、および／または、バッキング層４中に含有するのが好ましい。５．０ｇ／ｍ２を下回ると暖かさを感じられない。また、５０．０ｇ／ｍ２を超えて固着しても、カーペットの風合が硬くなり、コストが上昇するだけで効果が伴わず好ましくない。より好ましくは、１０．０〜２０．０ｇ／ｍ２の固着量がよい。
【００３０】
遠赤外線放射材料の粒径は１〜５０μｍが好ましい。５０μｍを超えると、パイル糸に固着したときザラツキ感や硬さが発現しカーペットの好ましい風合にならない。更に好ましい粒径は、５〜２５μｍである。
【００３１】
本発明において、パイル糸２の素材としては特に限定されず、ポリエステル繊維、ポリアミド繊維、ポリプロピレン繊維、アクリル繊維、レ−ヨン繊維等の合成繊維からなるもの等を好適に使用でき、その他麻、綿、羊毛等の天然繊維からなるもの等も使用できる。パイルの形態としてもカットパイルであっても、ル−プパイルであってもよいが、カットパイルのほうが暖かさは感じやすい。パイル糸２の目付についても、特に限定されないで、カーペットの形態をなすものであればよい。
【実施例】
【００３２】
次に、この発明の実施例として使用したカーペットの材質、構造、加工方法、保温性能測定試験および判定方法は次の通りである。
【００３３】
＜使用材料＞
基布・・・目付１００ｇ／ｍ２ポリプロピレンテープヤーン織布（１４×１３）にアルミニウム蒸着を施したもの
パイル糸・・・ポリエステル繊維からなるパイル糸をカットパイル状にタフティング機（１／８Ｇ）で基布に植え込む（パイル長６．５ｍｍ、目付５００ｇ／ｍ２）
バッキング層・・・ＳＢＲラテックス（充填剤として炭酸カルシウム）
セカンド基布・・・５デシテックスのポリエステル繊維からなるニードルパンチ不織布（目付３００ｇ／ｍ２、厚さ６ｍｍ）に厚さ１０μｍのアルミニウム箔を接着したもの
バインダー樹脂・・・アクリル−シリコン共重合体樹脂「ライトエポック」（共栄社株式会社製）
遠赤外線放射材料・・・珪酸ジルコニウム「Ａ−ＰＡＸ」（キンセイマテック株式会社製）粒径２０μｍ
【００３４】
＜加工方法＞
バッキング層・・・ＳＢＲラテックスをロールコーターで表皮層裏面に塗布し、乾燥状態で３００ｇ／ｍ２となるようにした。
遠赤外線放射材料の塗布方法・・・水１００重量部に対してバインダー樹脂２重量部、遠赤外線放射材料８重量部を混合しスプレー法にて、カーペットのパイル糸に塗布し、乾燥状態で遠赤外線放射材料が２０ｇ／ｍ２となるようにした。
【００３５】
＜保温性能測定試験＞
通常のカーペットと試験カーペット上に手のひらを置き、１分後にカーペットと手のひらをサーモグラフィーで確認し、通常のカーペットよりあきらかに温度上昇を確認できるものを〇、通常のカーペットとあまり変わらないものを×として評価した。（通常のカーペットとは、比較例１のカーペットで、アルミニウム蒸着をしていない基布にパイル糸をカットパイル状にタフティング機（１／８Ｇ）で基布に植え込み、バッキング加工したもの）
官能評価・・・通常のカーペットを基準に暖かいと感じるかどうかを一対比較法で評価し、被験者数を１０人とし、６０％以上の人が暖かいと感じたものを合格とした。（気温２０℃湿度６５％の標準室内にて評価）
【００３６】
＜実施例１＞
基布にアルミニウム蒸着をした面を下側にしてタフティング機にてパイル糸を植え込んで、カーペット生機を得た。次に、ＳＢＲラテックスでバッキング加工を施し、保温カーペットを得た。保温性能測定試験では、通常のカーペット（比較例１）より暖かな温度の高い部分が多く〇と判定した。また、官能評価においては７人の人が暖かいと感じていた。
【００３７】
＜実施例２＞
実施例１で作成したカーペットのパイル糸にバインダー樹脂、遠赤外線放射材料を混合した処理液をスプレー塗布し、乾燥状態で遠赤外線放射材料が２０ｇ／ｍ２となるように１２０℃、１０分間乾燥処理して保温カーペットを得た。保温性能測定試験では、実施例１のカーペットよりさらに温度の高い部分が多くなっており〇と判定した。また、官能評価においては８人の人が暖かいと感じていた。
【００３８】
＜比較例１＞
実施例１において、アルミニウム蒸着をしていない基布（目付１００ｇ／ｍ２ポリプロピレンテープヤーン織布（１４×１３））にパイル糸を植え込み、バッキング加工したもので、保温性能測定試験、官能評価において基準となるカーペットとした。
【００３９】
＜実施例３＞
実施例１においてバッキング加工と同時にセカンド基布を積層して、保温カーペットを得た。保温性能測定試験では、実施例１のカーペットより暖かな温度の高い部分が多いと判定し〇とした。また、官能評価においては８人の人が暖かいと感じていた。
【００４０】
＜実施例４＞
実施例３で作成したカーペットのパイル糸にバインダー樹脂、遠赤外線放射材料を混合した処理液をスプレー塗布し、乾燥状態で遠赤外線放射材料が２０ｇ／ｍ２となるように１２０℃、１０分間乾燥処理して保温カーペットを得た。保温性能測定試験では、実施例３のカーペットよりさらに温度の高い部分が多くなっており〇と判定した。また、官能評価においては１０人の人が暖かいと感じていた。
【００４１】
＜参考例１＞
実施例２において、乾燥状態で遠赤外線放射材料が３ｇ／ｍ２となるようにした以外は実施例１と同様にしてカーペットを得た。保温性能測定試験では、通常のカーペット（比較例１）より温度の高い部分が多く〇と判定したが、実施例２と比較して大差のないものであって、また、官能評価においても、暖かさの向上が感じられず、８人のが暖かいと感じただけで実施例２と同等であった。
【図面の簡単な説明】
【００４２】
【図１】この発明の一実施形態に係る保温カーペットを示す概略断面図である。
【図２】この発明の別の一実施形態に係る保温カーペットを示す概略断面図である。
【符号の説明】
【００４３】
１・・・保温カーペット
２・・・パイル糸
３・・・基布
２−３・・・表皮層
３−ａ・・・基布の熱反射層
４・・・バッキング層
５・・・セカンド基布
５−ａ・・・セカンド基布の熱反射層
【図１】
0005355930.tif 000002
【図２】
0005355930.tif 000003